(57)【要約】      （修正有）【課題】位置決め精度が高く緊縮力を調節できるコレットチャックを提供する。【解決手段】コレットチャックは、先端に円柱形のチャック３と中間部に接続部５と後端に切頭錐形のジャケット６とを有する。コレットチャックの真ん中に軸孔２が形成されており、コレットチャックの側面に、軸孔と繋がる隙間８、９が複数個形成されている。ジャケット６の後端部から更に延長部１１が伸び、ジャケットの先端に環状溝１０が形成されており、環状溝の外径はチャック３の外径以上である。【選択図】図２
0003194970.tif 000002
【実用新案登録請求の範囲】
【請求項１】
先端にチャック（３）と中間部に接続部（５）と後端にジャケット（６）とを有するコレットチャックにおいて、前記コレットチャックの真ん中に軸孔（２）が形成されており、前記コレットチャックの側面に、前記軸孔（２）と繋がる隙間が複数個形成されており、前記チャック（３）は円柱形であり、前記ジャケット（６）は切頭錐形であり、前記ジャケット（６）の後端部から更に延長部（１１）が伸び、前記ジャケット（６）の先端に環状溝（１０）が形成されており、前記環状溝（１０）の外径はチャック（３）の外径以上である
ことを特徴とするコレットチャック。
【請求項２】
前記延長部（１１）の軸方向の長さＬは、１ｍｍ以上２０ｍｍ以下である
ことを特徴とする請求項１に記載のコレットチャック。
【請求項３】
前記隙間は前隙間（９）と後隙間（８）とを含み、前記後隙間（８）の開口幅は、一端から他端に向かって広がっている
ことを特徴とする請求項１に記載のコレットチャック。
【請求項４】
前記ジャケット（６）の側辺（１２）とジャケット（６）の軸線との夾角Ａは、５°以上１５°以下である
ことを特徴とする請求項１に記載のコレットチャック。
【請求項５】
前記隙間は前隙間（９）と後隙間（８）とを含み、前隙間（９）は前記チャック（３）の先端面から延長部（１１）までの隙間であり、前記後隙間（８）は前記延長部（１１）の後端面からチャック（３）まで隙間である
ことを特徴とする請求項１に記載のコレットチャック。
【請求項６】
前記前隙間（９）の後端又は後隙間（８）の後端は、アーク状である
ことを特徴とする請求項１に記載のコレットチャック。
【考案の詳細な説明】
【技術分野】
【０００１】
本考案は、工作機械バイト組立技術分野に関し、特にはコレットチャックに関する。
【背景技術】
【０００２】
旋盤及びフライス盤にバイトクリップを取り付ける場合、バイトのシャンクがコレットチャックを利用して挟持される。現在のコレットチャックはＥＲ系列の製品を採用している。図１に示すように、コレットチャックの前段及び後段の外表面が何れも切頭円錐状である。前段がチャック３で、後段がジャケット６である。チャック３の後端とジャケット６の先端における直径が最大である。シャンクを固定する為に、シャンク本体にコレットチャック後端のジャケット６と嵌合する円錐形の中空体が形成されている。コレットチャックの真ん中の通孔２がバイトを挟持する。コレットチャックがシャンク本体の円錐形の中空体内に配置される。チャック３の切頭円錐形状とジャケット６の切頭円錐形状とが相互に嵌合して、バイトを挟持する。シャンクにあるナットがシャンク本体にネジで接続される。コレットチャックの中間段の接続部に係止溝１が形成されている。ナット位置を調整することで、ナットがコレットチャックに軸方向の力を加える。コレットチャックがシャンク本体の円錐形の中空体内に締め付けられ、バイトを挟持する。コレットチャックのジャケット６が完全にシャンク錐孔内に入るため、ジャケット６にある隙間を完全に緊縮させる。このようにバイトを挟持する時、バイトの緊縮力への調節が必要である。同時にナットがコレットチャックと協働する時、ナットがコレットチャックのチャック円錐形状に当接する。しかし加工精度が原因で、チャックの切頭円錐面が面一にならなく、バイトを繰り返し挟持すると、位置決め精度が悪くなる欠点がある。
【考案の概要】
【考案が解決しようとする課題】
【０００３】
本考案の目的は、構造が簡単で、繰り返し位置決め精度が高く、緊縮力が調節できるコレットチャックを提供するとである。
【課題を解決するための手段】
【０００４】
本考案のコレットチャックは、先端に円柱形のチャック３と中間部に接続部５と後端に切頭錐形のジャケット６とを有する、前記コレットチャックの真ん中に軸孔２が形成されている。前記コレットチャックの側面に、前記軸孔２と繋がる隙間が複数個形成されている。前記ジャケット６の後端部から更に延長部１１が伸びる。前記ジャケット６の先端に環状溝１０が形成されており、前記環状溝１０の外径はチャック３の外径以上である。
【０００５】
本考案の効果は、ジャケット６の後端に延長部１１を形成することで、ジャケット６が使用される時にシャンクの切頭円錐形の中空体よりも高くなり、挟持位置の決め精度が高く、緊縮力を調節できる。円柱形のチャック３を採用することで、チャック３の負荷面がジャケット６の上端面となり、位置決めが容易になり、容易に解体可能である。
【図面の簡単な説明】
【０００６】
【図１】従来のコレットチャックの斜視図である。
【図２】本考案のコレットチャックの斜視図である。
【図３】本考案のコレットチャックの側面図である。
【図４】本考案のコレットチャックの図２とは異なる視角の斜視図である。
【図５】図３のＢ-Ｂ方向に沿う断面図である。
【図６】本考案のコレットチャックの使用状態を表す図である。
【考案を実施するための形態】
【０００７】
図２〜６を参照して本考案のコレットチャックについて詳述する。本考案の一実施例のコレットチャックは、先端にチャック３と、中間部に接続部５と、後端にジャケット６とを有する。コレットチャックの真ん中に軸孔２が形成されている。前記コレットチャックの側面に、軸孔２と繋がる隙間（スリット）が複数個（図２では４個）形成されている。チャック３は円柱形である。ジャケット６は切頭円錐形である。ジャケット６の後端部から更に延長部１１が伸びる。前記ジャケット６の先端に環状溝１０が形成されている。環状溝１０の外径はチャック３の外径以上である（図５）。
【０００８】
ジャケット６の後端に延長部１１が形成されているため、コレットチャックが、シャンク本体（図６の断面部）の円錐形の中空体内に嵌合する時、ジャケット６の先端が円錐形の中空体より突出する（図６）。シャンク本体の円錐形の中空体内にコレットチャックが入り込む深さを調節することで、その緊縮力（挟む力）を調節できる。チャック３は円柱形であり、環状溝１０の外径はチャック３の外径以上である。ジャケット６の先端の外径がチャック３の外径を越えるため、これに嵌合するナットが、コレットチャックを固定する時、その作用力が、ジャケット６の先端面７に軸方向から加わり、コレットチャックを円錐形の中空体内に推進することで、バイトを締付するような緊縮力が増加する。更に円柱形のチャック３を採用する場合、チャック３がシャンクの締付作用効果を奏し、ナットの作用力がジャケット６の先端面７に加わるため、半径方向の分力がなくなり、位置決め精度が高くなる。チャック３の稜辺に面取りを施してもよい。
【０００９】
図３において、前記延長部１１の軸方向の長さＬは、１ｍｍ以上２０ｍｍ以下である。調節を容易にするために、延長部１１の長さＬは、２〜１０ｍｍが好ましい。後隙間８の開口幅は、前から後に（図２において上から下に）向かって次第に広がっている。
ジャケット６がシャンク本体に挟持され締め付けられると、隣接する後隙間８の間のジャケットシートが変形する。しかしジャケット６の先端と後端における変形量は異なる、即ち後端の変形量が先端のそれより大きくなる。そのため、隙間８の後端の開口を大きくし、ジャケットシートの変形を吸収できるようにする。ジャケットシートが更に変形すると、ジャケットシートの側面が相互に当接し、安定する効果が得られる。図３において、前記ジャケット６の側辺１２とジャケット６の軸線（垂線）との夾角Ａは、５°以上１５°以下が好ましい。
【００１０】
コレットチャックを使用する時、コレットチャックの挟持力及びコレットチャックの緊縮力の変化を考える必要がある。夾角Ａが大きくなると、ジャケット６の変形による緊縮力の変化が小さく、初期の挟持に不利に作用し、挟持力の均一性が悪くなる。夾角Ａが小さくなると、ジャケット６の変形による緊縮力の変化が大きくなるが、ジャケット６が変形しにくくなる。実験により、夾角Ａは５°〜１５°が好ましい。特に８°が好ましい。
【００１１】
前記隙間は前隙間９と後隙間８とを含む。前隙間９はチャック３の先端面から延長部１１までの隙間であり、後隙間８は延長部１１の後端面からチャック３まで隙間である。内部応力を減少させる為に、前隙間９の後端又は後隙間８の後端をアーク状に形成するのが好ましい。
【００１２】
以上の説明は、本考案の一実施例に関するもので、この技術分野の当業者であれば、本考案の種々の変形例を考え得るが、それらはいずれも本考案の技術的範囲に包含される。実用新案登録請求の範囲の構成要素の後に記載した括弧内の番号は、図面の部品番号に対応し、考案の容易なる理解の為に付したものであり、考案を限定的に解釈するために用いてはならない。また、同一番号でも明細書と実用新案登録請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００１３】
１…係止溝、２…軸孔、３…チャック、４…前円錐形面、５…接続部、６…ジャケット、７…先端面、１０…環状溝、８…後隙間、９…前隙間、１１…延長部、１２…側辺。
【図１】
0003194970.tif 000003
【図２】
0003194970.tif 000004
【図３】
0003194970.tif 000005
【図４】
0003194970.tif 000006
【図５】
0003194970.tif 000007
【図６】
0003194970.tif 000008